(57)【特許請求の範囲】
【請求項１】
正面視略三角形状とされその頂部に第１開口部を有し底面に第２及び第３開口部を有してなる弁箱と、この弁箱の左右の傾斜側面にそれぞれ配設されてなる二つの弁本体とから構成されてなる二方向分岐制御器であって、前記第１開口部からの通路は弁箱内部で左右方向に分岐されて前記傾斜側面に弁本体入口部として開口してなるとともに、これら弁本体入口部に隣接して弁本体出口部が形成され、この弁本体出口部から前記第１開口部の軸線と平行に前記第２及び第３開口部と連通する流路が形成されてなり、前記第１開口部は前記弁本体のダイヤフラムの上昇操作により前記第２及び第３開口部と連通可能とされており、前記弁箱内部で左右方向に分岐された第１開口部から前記弁本体入口部へと至る通路が共に下向きの傾斜路とされてなることを特徴とする二方向分岐制御器。
【請求項２】
正面視略六角形状とされ、その天面を第一面とし該第一面から時計周りに順次隣り合う面を第二面乃至第六面としたとき、第一面に第１開口部を有し第三面及び第五面に第２及び第３開口部を有してなる弁箱と、該弁箱の第二面及び第六面にそれぞれ配設されてなる二つの弁本体とから構成されてなる二方向分岐制御器であって、前記第１開口部からの通路は弁箱内部で左右方向に分岐されて前記弁箱の第二面及び第六面に弁本体入口部として開口してなるとともに、これら弁本体入口部に隣接して弁本体出口部が形成され、この弁本体出口部から前記第２及び第３開口部と連通する流路が形成されてなり、前記第１開口部は前記弁本体のダイヤフラムの上昇操作により前記第２及び第３開口部と連通可能とされており、前記弁箱内部で左右方向に分岐された第１開口部から前記弁本体入口部へと至る通路が共に下向きの傾斜路とされてなることを特徴とする二方向分岐制御器。
【発明の詳細な説明】
【０００１】
【発明の属する技術分野】
本発明は二方向分岐制御器に係り、その目的は従来の配管構造に比べてコンパクトで設置スペースが小さくて済み、配管内の流体の溜まりを無くすることが可能で、しかも弁箱への流路の形成が容易であって加工性に優れた二方向分岐制御器を提供することにある。
【０００２】
【従来の技術】
従来、二方向より流入する流体を混合、若しくは一方向より流入する流体を二方向に分配するためには、図８に示すようなＴ字管（Ｔ）やベント管（Ｂ）を用いてＹ字状に接続された配管構造が採用されていることが多い。
また、水平配管を垂直方向に分岐する場合には、図９に示すようにＴ字管（Ｔ）を使用しての分岐配管構造が用いられている。
ところが、これらの従来の配管構造では流体制御弁を閉じたときに、図８示の配管構造ではＴ字管（Ｔ）とベント管（Ｂ）の内部や制御弁（Ｖ）の入口流路の管内に、図９示の配管構造ではＴ字管（Ｔ）の分岐路から制御弁（Ａ）の入口流路にかけての管内に、それぞれ多量の流体が溜まってしまい、衛生面等の理由から好ましくなかった。
また、これらの配管構造では、Ｔ字管（Ｔ）やベント管（Ｂ）など複数の管路をパッキン（Ｐ）やクランプ（Ｃ）を用いて接続しなければならないため、配管作業が面倒であり、しかも配管に広いスペースを必要とするため配管が混み入った場所では使用できない場合もあった。
【０００３】
上記したような実情に鑑みて、本願発明者らは特願平９−１２１７２９号において、図１０に示すような二方向分岐制御器を提案している。この二方向分岐制御器は、図１１に正面図を、図１２にＡ−Ａ線断面図を、図１３にＢ−Ｂ線断面図をそれぞれ示した略三角柱形状の弁箱（Ｄ）を使用し、この弁箱（Ｄ）の隣合う傾斜面に形成された弁座（Ｅ）に２つの弁本体（Ｆ）を配設してなるものである。
この二方向分岐制御器は、従来の配管構造に比べて非常にコンパクトであるため配管に要するスペースを小さくすることができて、しかも分岐路長さが非常に短いため配管内に溜まる流体の量を極めて少なくすることが可能であり、上記した従来の配管構造が有する課題を殆ど解決することができる優れたものであった。
【０００４】
【発明が解決しようとする課題】
しかしながら、特願平９−１２１７２９号において提案された二方向分岐制御器にも以下に述べるような課題が存在した。
すなわち、弁座（Ｅ）の開口部と入口又は出口となる開口部（Ｇ）とが三次元的な位置関係になっているため、弁箱（Ｄ）にこれらの開口部同士を連通させる流路を形成するのが困難で加工性が非常に悪く、しかも弁箱（Ｄ）への入口から弁本体（Ｆ）を通って出口に至る流路が三次元的に屈曲しているため流体の流通性があまり良くなかった。
【０００５】
【課題を解決するための手段】
本発明は上記した従来技術のもつ課題を解決するためになされたものであって、請求項１に係る発明は、正面視略三角形状とされその頂部に第１開口部を有し底面に第２及び第３開口部を有してなる弁箱と、この弁箱の左右の傾斜側面にそれぞれ配設されてなる二つの弁本体とから構成されてなる二方向分岐制御器であって、前記第１開口部からの通路は弁箱内部で左右方向に分岐されて前記傾斜側面に弁本体入口部として開口してなるとともに、これら弁本体入口部に隣接して弁本体出口部が形成され、この弁本体出口部から前記第１開口部の軸線と平行に前記第２及び第３開口部と連通する流路が形成されてなり、前記第１開口部は前記弁本体のダイヤフラムの上昇操作により前記第２及び第３開口部と連通可能とされており、前記弁箱内部で左右方向に分岐された第１開口部から前記弁本体入口部へと至る通路が共に下向きの傾斜路とされてなることを特徴とする二方向分岐制御器に関する。
【０００６】
請求項２に係る発明は、正面視略六角形状とされ、その天面を第一面とし該第一面から時計周りに順次隣り合う面を第二面乃至第六面としたとき、第一面に第１開口部を有し第三面及び第五面に第２及び第３開口部を有してなる弁箱と、該弁箱の第二面及び第六面にそれぞれ配設されてなる二つの弁本体とから構成されてなる二方向分岐制御器であって、前記第１開口部からの通路は弁箱内部で左右方向に分岐されて前記弁箱の第二面及び第六面に弁本体入口部として開口してなるとともに、これら弁本体入口部に隣接して弁本体出口部が形成され、この弁本体出口部から前記第２及び第３開口部と連通する流路が形成されてなり、前記第１開口部は前記弁本体のダイヤフラムの上昇操作により前記第２及び第３開口部と連通可能とされており、前記弁箱内部で左右方向に分岐された第１開口部から前記弁本体入口部へと至る通路が共に下向きの傾斜路とされてなることを特徴とする二方向分岐制御器に関する。
【０００８】
【発明の実施の形態】
以下、本発明に係る二方向分岐制御器の好適な実施形態について図面を参照しつつ説明する。
図１は本発明に係る二方向分岐制御器の第一実施形態を示す正面図であり、図２はその上面図、図３はその断面図である。
第一実施形態に係る二方向分岐制御器は、一つの弁箱（１）に二つの弁本体（２）が配設されることにより、一方向より流入する流体を二方向に分岐、或いは二方向より流入する流体を混合することが可能とされている。
【０００９】
弁箱（１）は図１に示すように正面視略三角形状とされており、その頂部に第１開口部（３）を有し底面に第２開口部（４）及び第３開口部（５）を有している。
第１開口部（３）からの通路は弁箱（１）内で左右二方向に分岐され、弁箱（１）の左右の傾斜側面に弁本体入口部（６）として開口し、左右の傾斜側面にはこの弁本体入口部（６）に隣接して弁本体出口部（７）が形成されている。
そして、弁本体出口部（７）から第１開口部（３）の軸線と平行に流路が形成され、これらの流路は第２開口部（４）及び第３開口部（５）とそれぞれ連通している。
弁本体入口部（６）及び弁本体出口部（７）の上面には、ダイヤフラム（８）を備えた弁本体（２）が取り付けられ、これら弁本体（２）の操作によるダイヤフラム（８）の上昇により第１開口部（３）が第２開口部（４）及び第３開口部（５）と連通可能とされている。
【００１０】
弁箱（１）の内部で左右方向に分岐された第１開口部（３）からの分岐通路は、図３に示す如く共に下向きの傾斜路とされており、この下向き傾斜によって第１開口部（３）から流入した流体は弁箱（１）の内部で溜まることなく弁本体入口部（６）へと達することができる。
【００１１】
上記構成からなる二方向分岐制御器は、例えば図８に示したような従来の配管構造に比べて非常にコンパクトであるため配管に要するスペースを非常に小さくすることができ、しかも分岐路長さが非常に短いため配管内に溜まる流体の量を極めて少量とすることが可能である。
また、第１乃至第３開口部と弁本体とが平面的な位置関係にあるため、弁箱への流路の形成が容易であって加工性に優れ、しかも第１開口部から弁本体を経て第２乃至第３開口部に至る流路に３次元的な屈曲がないため、流通性に優れたものとなり弁箱内部で流体の溜まりが発生しにくい。
【００１２】
図４は本発明に係る二方向分岐制御器の第二実施形態を示す正面図であり、図５はその上面図、図６はその底面図、図７はその断面図である。
第二実施形態に係る二方向分岐制御器も第一実施形態のものと同様に、一つの弁箱（１）に二つの弁本体（２）が配設されることにより、一方向より流入する流体を二方向に分岐、或いは二方向より流入する流体を混合することが可能とされている。
【００１３】
第二実施形態に係る二方向分岐制御器では、弁箱（１）は図４に示すように正面視略六角形状とされており、その天面を第一面とし該第一面から時計周りに順次隣り合う面を第二面乃至第六面としたとき、第一面（１１）に第１開口部（３）を有し第三面（１３）に第２開口部（４）を有し、第五面（１５）に第３開口部（５）を有している。
【００１４】
第１開口部（３）からの通路は弁箱（１）内で左右二方向に分岐され、弁箱（１）の第二面（１２）及び第六面（１６）に弁本体入口部（６）として開口し、第二面（１２）及び第六面（１６）にはこれらの弁本体入口部（６）に隣接して弁本体出口部（７）が形成されている。
そして、弁本体出口部（７）からくの字状に流路が形成され、これらの流路は第２開口部（４）及び第３開口部（５）とそれぞれ連通している。
弁本体入口部（６）及び弁本体出口部（７）の上面には、ダイヤフラム（８）を備えた弁本体（２）が取り付けられ、これら弁本体（２）の操作によるダイヤフラム（８）の上昇により第１開口部（３）が第２開口部（４）及び第３開口部（５）と連通可能とされている。
【００１５】
弁箱（１）の内部で左右方向に分岐された第１開口部（３）からの通路は、図７に示す如く共に下向きの傾斜路とされており、この下向き傾斜によって第１開口部（３）から流入した流体は弁箱（１）の内部で溜まることなく弁本体入口部（６）へと達することとなる。但し、この第二実施形態においても、必ずしも傾斜を設けなくともよい。
【００１６】
第二実施形態に係る二方向分岐制御器も、従来の配管構造に比べて非常にコンパクトであるため配管に要するスペースを非常に小さくすることができ、しかも分岐路長さが非常に短いため配管内に溜まる流体の量を極めて少量とすることが可能である。
また、第１乃至第３開口部と弁本体とが平面的な位置関係にあるため、流路の形成が容易であって加工性に優れ、しかも第１開口部から弁本体を経て第２乃至第３開口部に至る流路に３次元的な屈曲がないため、流通性に優れたものとなり弁箱内部で流体の溜まりが発生しにくい。
【００１７】
尚、図示例においてはダイヤフラムを伸縮させるための操作機構をコンプレッサーによる空圧機構としているが、本発明において操作機構の形態は全く限定されず公知の操作機構が全て好適に使用でき、例えばハンドル式の手動操作機構であってもよい。
【００１８】
【発明の効果】
以上説明したように、請求項１に係る発明は、正面視略三角形状とされその頂部に第１開口部を有し底面に第２及び第３開口部を有してなる弁箱と、この弁箱の左右の傾斜側面にそれぞれ配設されてなる二つの弁本体とから構成されてなる二方向分岐制御器であって、前記第１開口部からの通路は弁箱内部で左右方向に分岐されて前記傾斜側面に弁本体入口部として開口してなるとともに、これら弁本体入口部に隣接して弁本体出口部が形成され、この弁本体出口部から第１開口部の軸線と平行に前記第２及び第３開口部と連通する流路が形成されてなり、前記第１開口部は前記弁本体のダイヤフラムの上昇操作により前記第２及び第３開口部と連通可能とされており、前記弁箱内部で左右方向に分岐された第１開口部から前記弁本体入口部へと至る通路が共に下向きの傾斜路とされてなることを特徴とする二方向分岐制御器であるから、以下に述べる効果を奏する。すなわち、従来の配管構造に比べて非常にコンパクトであるから設置スペースが小さくて済み、しかも分岐路長が非常に短く流路に３次元的な屈曲がないので配管内の流体の溜まりを極めて少量とすることが可能で、更には開口部と弁本体とが平面的な位置関係にあるため流路の形成が容易であって加工性に優れる。
更に、弁箱内部で左右方向に分岐された第１開口部からの通路が共に下向きの傾斜路とされているから、第１開口部から流入した流体が弁箱の内部で溜まることなく弁本体入口部へと達することとなり、流通性が非常に良く、流体の溜まりを一層減らすことができる。
【００１９】
請求項２に係る発明は、正面視略六角形状とされ、その天面を第一面とし該第一面から時計周りに順次隣り合う面を第二面乃至第六面としたとき、第一面に第１開口部を有し第三面及び第五面に第２及び第３開口部を有してなる弁箱と、該弁箱の第二面及び第六面にそれぞれ配設されてなる二つの弁本体とから構成されてなる二方向分岐制御器であって、前記第１開口部からの通路は弁箱内部で左右方向に分岐されて前記弁箱の第二面及び第六面に弁本体入口部として開口してなるとともに、これら弁本体入口部に隣接して弁本体出口部が形成され、この弁本体出口部から前記第２及び第３開口部と連通する流路が形成されてなり、前記第１開口部は前記弁本体のダイヤフラムの上昇操作により前記第２及び第３開口部と連通可能とされており、前記弁箱内部で左右方向に分岐された第１開口部から前記弁本体入口部へと至る通路が共に下向きの傾斜路とされてなることを特徴とする二方向分岐制御器であるから、以下に述べる効果を奏する。すなわち、従来の配管構造に比べて非常にコンパクトであるから設置スペースが小さくて済み、しかも分岐路長が非常に短く流路に３次元的な屈曲がないので配管内の流体の溜まりを極めて少量とすることが可能で、更には開口部と弁本体とが平面的な位置関係にあるため流路の形成が容易であって加工性に優れる。
更に、弁箱内部で左右方向に分岐された第１開口部からの通路が共に下向きの傾斜路とされているから、第１開口部から流入した流体が弁箱の内部で溜まることなく弁本体入口部へと達することとなり、流通性が非常に良く、流体の溜まりを一層減らすことができる。
【図面の簡単な説明】
【図１】本発明に係る二方向分岐制御器の第一実施形態を示す正面図である。
【図２】本発明に係る二方向分岐制御器の第一実施形態を示す上面図である。
【図３】本発明に係る二方向分岐制御器の第一実施形態を示す断面図である。
【図４】本発明に係る二方向分岐制御器の第二実施形態を示す正面図である。
【図５】本発明に係る二方向分岐制御器の第二実施形態を示す上面図である。
【図６】本発明に係る二方向分岐制御器の第二実施形態を示す底面図である。
【図７】本発明に係る二方向分岐制御器の第二実施形態を示す断面図である。
【図８】従来の配管構造の一例を示す図である。
【図９】従来の配管構造の一例を示す図である。
【図１０】本願発明者らが先に提案した二方向分岐制御器の正面図である。
【図１１】本願発明者らが先に提案した二方向分岐制御器の弁箱の正面図である。
【図１２】図１１のＡ−Ａ線断面図である。
【図１３】  図１１のＢ−Ｂ線断面図である。
【符号の説明】
１          弁箱
２          弁本体
３          第１開口部
４          第２開口部
５          第３開口部
６          弁本体入口部
７          弁本体出口部
８          ダイヤフラム
１１        第一面（天面）
１２        第二面
１３        第三面
１５        第五面
１６        第六面
【図１】
0003971508.tif 000002
【図２】
0003971508.tif 000003
【図３】
0003971508.tif 000004
【図４】
0003971508.tif 000005
【図５】
0003971508.tif 000006
【図６】
0003971508.tif 000007
【図７】
0003971508.tif 000008
【図８】
0003971508.tif 000009
【図９】
0003971508.tif 000010
【図１０】
0003971508.tif 000011
【図１１】
0003971508.tif 000012
【図１２】
0003971508.tif 000013
【図１３】
0003971508.tif 000014